(57)【要約】      （修正有）【課題】歯みがきの対象となる歯によって複数本のブラシを使い分けする必要のない、使い勝手に優れたワンタフト付歯ブラシを提供する。【解決手段】植毛台２２に植設された複数の毛束２４からなるブラシ部２０と、ブラシ部の中央位置に植設されたワンタフト２６と、を有し、ワンタフトは、毛束の径寸法よりも大径寸法であり、かつ、毛束の高さよりも高く形成されている。ワンタフトの径寸法は、毛束の径寸法の２倍以上であることが好ましい。また毛束の高さ寸法は、植毛台の端側位置から中央位置に接近するに伴って漸増していることが好ましい。【選択図】図１
0003192545.tif 000002
【実用新案登録請求の範囲】
【請求項１】
植毛台に植設された複数の毛束からなるブラシ部と、
前記ブラシ部の中央位置に植設されたワンタフトと、を有し、
前記ワンタフトは、前記毛束の径寸法よりも大径寸法であり、かつ、前記毛束の高さよりも高く形成されていることを特徴とするワンタフト付歯ブラシ。
【請求項２】
前記ワンタフトの径寸法は、前記毛束の径寸法の２倍以上の径寸法であることを特徴とする請求項１記載のワンタフト付歯ブラシ。
【請求項３】
前記ブラシ部は、平面視形状が円形に形成されていることを特徴とする請求項１または２記載のワンタフト付歯ブラシ。
【請求項４】
前記毛束の高さ寸法は、前記植毛台の端側位置から中央位置に接近するに伴って漸増していることを特徴とする請求項１〜３のうちのいずれか一項に記載のワンタフト付歯ブラシ。
【考案の詳細な説明】
【技術分野】
【０００１】
本考案は、ワンタフト付歯ブラシに関する。
【背景技術】
【０００２】
近年スメハラ（スメル−ハラスメント）といった言葉があるように、臭いに関するエチケットが重要視されている。このような臭いに関するエチケットとして代表的なものとして口臭対策がある。口臭対策においては、歯みがきが最もポピュラーなものであるが、歯みがきをするにあたっては、通常の歯ブラシに加え、ワンタフトブラシ等の製品を用いることが好適であるとされている。近年においては、このようなワンタフトブラシの一例として、特許文献１に開示されているような形態のものが提案されている。
【先行技術文献】
【特許文献】
【０００３】
【特許文献１】特開２００８−２７２０３８号公報
【考案の概要】
【考案が解決しようとする課題】
【０００４】
特許文献１に記載されているワンタフトブラシは、単独で用いることが前提の造りになっているため、歯ブラシとワンタフトブラシを二本持ちしなければならない。それ故、歯みがきの目的に応じて、歯ブラシとワンタフトブラシを用い分けしなければならず、歯ブラシとワンタフトの持ち替えが煩雑であるという課題を有していた。
【０００５】
そこで本考案は、歯みがきの目的によって複数本のブラシを使い分けする必要のない、使い勝手に優れたワンタフト付歯ブラシの提供を目的としている。
【課題を解決するための手段】
【０００６】
上記課題を解決するために本考案者は鋭意研究を行った結果、以下の構成に想到した。
すなわち、植毛台に植設された複数の毛束からなるブラシ部と、前記ブラシ部の中央位置に植設されたワンタフトと、を有し、前記ワンタフトは、前記毛束の径寸法よりも大径寸法であり、かつ、前記毛束の高さよりも高く形成されていることを特徴とするワンタフト付歯ブラシである。
【０００７】
これにより、ワンタフトが歯ブラシに一体化されているため、歯みがきを効率的に行うことができる。また、ワンタフトがブラシ部の中央位置に配設されているから、通常の歯みがき動作を行うだけで、ワンタフトの部分に荷重を集中させることができるため歯垢除去を効率的に行うことができる。
【０００８】
また、前記ワンタフトの径寸法は、前記毛束の径寸法の２倍以上の径寸法であることが好ましい。
【０００９】
これにより、ワンタフトによる歯垢除去効率を向上させることができる。
【００１０】
また、前記ブラシ部は、平面視形状が円形に形成されていることが好ましい。
【００１１】
これにより、みがき残しのない歯みがきができると共に、ブラシ部の口の中への進入角度（進入状態）にかかわらず、ワンタフトの部分に荷重を集中させることができるので、ワンタフトにより歯垢除去処理を確実に行うことができる。
【００１２】
また、前記毛束の高さ寸法は、前記植毛台の端側位置から中央位置に接近するに伴って漸増していることが好ましい。
【００１３】
これにより、各毛束における撓り状態を異ならせることができ、各毛束に応じた歯垢の除去が可能になると共に通常の歯みがき処理も効率的に行うことができる。
【考案の効果】
【００１４】
本考案にかかるワンタフト付歯ブラシの構成によれば、歯ブラシにワンタフトが一体化されているため、歯みがきを行うにあたって歯ブラシとワンタフトブラシの二本持ちをする必要がなく、歯垢の除去処理を容易に行うことができる。
また、ワンタフトがブラシ部の中央位置に配設されているから、通常の歯みがき動作を行うだけで、ワンタフトの部分に荷重を集中させることができるから、特に意識した動作をせずとも、効率的に歯垢除去を行うことができる。
【図面の簡単な説明】
【００１５】
【図１】第１実施形態にかかるワンタフト付歯ブラシの斜視図である。
【図２】第１実施形態にかかるワンタフト付歯ブラシのブラシ部の拡大平面図である。
【図３】第１実施形態にかかるワンタフト付歯ブラシのブラシ部の拡大正面図である。
【図４】第２実施形態の一例を示すワンタフト付歯ブラシの正面図である。
【図５】第２実施形態にかかるワンタフト付歯ブラシのブラシ部の拡大斜視図である。
【考案を実施するための形態】
【００１６】
以下、本考案にかかるワンタフト付歯ブラシの実施形態について図面に基づいて具体的に説明する。
【００１７】
（第１実施形態）
本実施形態にかかるワンタフト付歯ブラシ１０は、図１〜図３に示すように、植毛台２２と、植毛台２２に植設された複数の毛束２４と、植毛台２２の平面中央位置に埴設された一本（一束）のワンタフト２６とからなるブラシ部２０と、ブラシ部２０と一体形成されてなる柄３０を有している。
【００１８】
本実施形態におけるブラシ部２０の複数の毛束２４，２４，・・・は、図２に示すように、正面側の行Ｌ１、ワンタフト２６が位置する中央部分の行Ｌ２、背面側の行Ｌ３の３行配列になっている。また、図３に示すように、本実施形態における毛束２４は、植毛台２２の両端側位置から中心部に向って徐々に高さ寸法が増加する（漸増する）形状に形成されており、毛束２４全体として山形形状をなしている。また、中央部分の行Ｌ２に植設されている毛束２４については、いずれの毛束２４も正面側の行Ｌ１と背面側の行Ｌ３に植設されている毛束２４の高さ寸法よりも高く形成されている。
【００１９】
このようなブラシ部２０によれば、それぞれの毛束２４におけるブラシ毛の撓り状態を異ならせることができ、ブラシ部２０の毛束２４の植設位置に応じた歯垢の除去が可能になると共に通常の歯みがき処理も効率的に行うことができる。
【００２０】
ワンタフト２６はブラシ部２０を平面視した際における中央位置に配設されている。本実施形態においては、中央部分の行Ｌ２の中心位置にワンタフト２６が植設されている。ワンタフト２６も毛束２４と同様に、複数本のブラシ毛からなる円柱状体に形成されている。ワンタフト２６の径寸法は、毛束２４の径寸法の２倍以上となるように形成されている。また、ワンタフト２６の高さ寸法は、ワンタフト２６に隣接して植設されている最も高さ寸法の高い毛束２４よりもさらに高く形成されている。そしてワンタフト２６の先端部分は円錐形状に形成されている。
【００２１】
ワンタフト２６を構成する合成樹脂等からなるブラシ毛は、毛束２４を構成するブラシ毛と同じ材料により形成してもよいし、毛束２４のブラシ毛の材料よりも硬い材料により形成することもできる。また、ワンタフト２６のブラシ毛の径寸法は、毛束２４のブラシ毛と同径寸法であってもよいし、異なる径寸法であってもよい。ワンタフト２６の特性にあわせてワンタフト２６のブラシ毛の諸元は適宜調整することができる。
【００２２】
このように、通常の歯ブラシにおけるブラシ部２０の毛束２４の中央部分からワンタフト２６を突出させた状態で配置したワンタフト付歯ブラシ１０の構成を採用することで、歯みがきと歯間の歯垢除去をワンタフト付歯ブラシ１０のみで行うことができる。ワンタフト２６は歯間の歯垢を除去するための構成ではあるが、本考案に係るようなワンタフト付歯ブラシ１０とすることで、歯みがき時における荷重集中部としても機能し、歯の表面に付着した頑固な汚れを除去することができる点においても好適である。
【００２３】
（第２実施形態）
図４は第２実施形態にかかるワンタフト付歯ブラシの正面図であり、図５は、第２実施形態にかかるワンタフト付歯ブラシのブラシ部の拡大斜視図である。本実施形態にかかるワンタフト付歯ブラシ１０は、ブラシ部２０（植毛台２２）の平面視形状が円形に形成されていることが最大の特徴である。本実施形態において第１実施形態と同様の構成部分については、第１実施形態で用いた番号を付すことにより、ここでの詳細な説明を省略している。
【００２４】
本実施形態にかかるワンタフト付歯ブラシ１０は、平面視形状が円形のブラシ部２０とこのブラシ部２０に一体形成された柄３０を有している。ブラシ部２０は、平面視形状が円形に形成された植毛台２２の上面に複数本の毛束２４が植設されている。植毛台２２に植毛された毛束２４の高さ寸法は、植毛台２２の外周縁側に植設されている毛束２４の高さ寸法に比較して植毛台２２の中央位置に植設されている毛束２４の高さ寸法の方が高く形成されている。より詳細位は、植毛台２２の外周縁側の位置から中央部分に接近するに伴って毛束２４の高さ寸法が徐々に増加している。
【００２５】
植毛台２２の平面中央部分にはワンタフト２６が一本（一束）植設されている。ワンタフト２６の高さ寸法は、ワンタフト２６に隣接して植設された毛束２４の高さ寸法よりも高く形成されている。本実施形態においては、植毛台２２の上面に植設されている複数の毛束２４のブラシ毛による連続突状曲面が形成され、この毛束２４のブラシ毛による連続突状曲面の中心位置からワンタフト２６が突出した形状に形成されている。
【００２６】
このようなブラシ部２０を用いて歯のブラッシングを行うことで、口腔内へのブラシ部２０の進入状態（進入角度）にかかわらず、毛束２４およびワンタフト２６と歯との当接状態を一定にすることができる。これにより使用者は、ブラシ部２０の毛束２４およびワンタフト２６の歯に対する当接状態を気にすることなく、単純にブラッシングをするだけで確実に歯みがきと歯垢の除去を行うことができる。
【００２７】
また、毛束２４のブラシ毛により連続突状曲面が形成されていることにより、毛束２４のブラシ毛の歯や歯茎に対する当接圧を低下させることができ、歯槽膿漏等、歯茎が弱っている人であっても心地良い使用感を得ることができる。
【００２８】
以上に、本考案にかかるワンタフト付歯ブラシ１０の実施形態について説明をしたが、本考案の技術的範囲は、以上の実施形態に限定されるものではなく、考案の要旨を変更しない範囲において各種の変更を施した構成であれば、そのようなワンタフト付歯ブラシ１０は本考案の技術的範囲に属する。例えば、以上に説明した第１実施形態および第２実施形態にかかるワンタフト付歯ブラシ１０は、いわゆる手持ち型のワンタフト付歯ブラシ１０について説明しているが、ワンタフト付歯ブラシ１０の柄３０の長さを短く形成すると共に、柄３０の先端面に図示しない連結部を形成し、電動歯ブラシの本体に取り付けて用いる形態を採用することも可能である。
【００２９】
また、以上の実施形態においては、ブラシ部２０の植毛台２２の上面に埴設された複数本の毛束２４は全体形状が山形形状をなすように、隣接する毛束２４どうしの高さ寸法を適宜調整した構成が採用されているが、全ての毛束２４の植毛台２２に対する高さ寸法を同一高さ寸法に形成することもできるし、複数の毛束２４の上端部によって鋸刃形状をなすようにそれぞれの毛束２４の高さ寸法を調整することもできる。
【００３０】
上記のいずれの形態の毛束２４を採用した場合においても、ブラシ部２０の植毛台２２を平面視した際にワンタフト２６が植毛台２２の中央位置に植設され、かつ、植毛台２２に植設されたいずれの毛束２４の高さ寸法よりもワンタフト２６の高さ寸法の方が高い状態であればよい。
【符号の説明】
【００３１】
１０  ワンタフト付歯ブラシ，
２０  ブラシ部，２２  植毛台，２４  毛束，２６  ワンタフト，
３０  柄，
Ｌ１  正面側の行，Ｌ２  中央部分の行，Ｌ３  背面側の行
【図１】
0003192545.tif 000003
【図２】
0003192545.tif 000004
【図３】
0003192545.tif 000005
【図４】
0003192545.tif 000006
【図５】
0003192545.tif 000007